(57)【要約】【課題】  本発明は、放送される番組等の情報の記録に伴って録画予約に関する情報を共有することが可能な管理装置及び記録装置を提供する。【解決手段】  記録再生装置３は、ユーザから録画情報が入力されると、その録画情報を録画情報データベース１１に登録すると共に共有サーバ２へ送信する。共有サーバ２は、記録再生装置３から受信した録画情報を共有録画情報データベース２１へ登録すると共に、録画情報を共有するよう接続された他の記録再生装置４、５に対して録画情報を送信する。この他の記録再生装置４、５は、共有サーバ２から送信された録画情報を録画情報データベース１１に登録する。この結果、複数の記録再生装置３〜５において、同じ録画情報に基づき、同じ番組の録画を行うことができる。【選択図】  図９
2005110047.tif 000002
【特許請求の範囲】
【請求項１】
第１の記録装置と第２の記録装置とに接続可能な管理装置において、
上記第１及び第２の記録装置において共通に保持される録画予約に関する番組情報を記憶する記憶手段と、
上記第１の記録装置から録画予約に関する番組情報を受信する受信手段と、
この受信手段によって受信された上記録画予約に関する番組情報を上記記憶手段に記憶させる制御手段と、
上記第２の記録装置に対して上記受信された録画予約に関する番組情報を登録する旨の指示情報を送信する送信手段と、
を有することを特徴とする管理装置。
【請求項２】
第１の記録装置と第２の記録装置とに接続可能な管理装置において、
上記第１及び第２の複数の記録装置において共通に保持される録画予約に関する番組情報を記憶する記憶手段と、
上記第１の記録装置から既に記憶されている録画予約に関する番組情報の変更情報を受信する受信手段と、
この受信手段によって受信された上記変更情報に基づいて上記記憶手段に記憶された上記録画予約に関する番組情報の内容を変更する制御手段と、
上記第２の記録装置に対して上記受信された録画予約に関する番組情報の変更情報を送信する送信手段と、
を有することを特徴とする管理装置。
【請求項３】
上記記憶手段に既に記憶されている上記録画予約に関する番組情報の中で、上記受信手段によって受信された上記録画予約に関する番組情報と重なる日時の番組情報が存在するかを判定する判定手段と、
この判定手段によって重なる日時の番組情報が存在すると判定されると、日時の重なる上記記憶手段の番組情報と上記受信された番組情報のそれぞれを上記第１及び第２の記録装置のいずれかに対して割り振る割振手段と、
この割振手段による割振結果に基づいて上記送信手段によって上記第１及び第２の記録装置に対して割り振られた番組情報の録画予約の指示を送信するよう制御する送信制御手段と、
を有することを特徴とする請求項１または請求項２のいずれか記載の管理装置。
【請求項４】
第１の記録装置と第２の記録装置とに接続可能な管理装置において、
上記第１及び第２の記録装置において共通に保持される録画予約に関する番組情報を記憶する記憶手段と、
上記第１の記録装置から録画予約に関する番組情報の削除指示を受信する受信手段と、
この受信手段によって受信された上記削除指示に基づいて上記記憶手段に記憶された上記録画予約に関する番組情報を上記記憶手段から削除する制御手段と、
上記第２の記録装置に対して上記受信された録画予約に関する番組情報の削除指示を送信する送信手段と、
を有することを特徴とする管理装置。
【請求項５】
第１の記録装置と第２の記録装置とに接続可能な管理装置において、
上記第１及び第２の記録装置において共通に保持される録画予約に関する番組情報を記憶する記憶手段と、
上記第１の記録装置から録画予約に関する番組情報の変更情報あるいは削除指示を受信する受信手段と、
この受信手段によって変更情報が受信された場合に、上記受信された変更情報に基づいて上記記憶手段に記憶された上記録画予約に関する番組情報を変更し、上記第２の記録装置に対して上記受信された録画予約に関する番組情報の変更情報を送信するよう制御し、上記受信手段によって削除指示が受信された場合に、上記記憶手段から上記削除指示された録画予約に関する番組情報を削除するよう制御する制御手段と、
を有することを特徴とする管理装置。
【請求項６】
第１の記録装置と第２の記録装置とに接続可能な管理装置において、
上記第１の記録装置から録画を指示する指示部が指示されたことを通知する情報と録画対象となる放送局に関する情報を受信する受信手段と、
この受信手段によって上記指示部が指示されたことを通知する情報と放送局に関する情報が受信されると、上記第２の記録装置に対して上記放送局に関する情報と録画を指示する情報とを送信する送信手段と、
を有することを特徴とする管理装置。
【請求項７】
複数の記録装置と接続可能な管理装置と接続し、受信した番組に関する情報を記録する記録装置において、
当該記録装置及び上記管理装置と接続可能な記録装置において共通に保持される録画予約に関する番組情報を記憶する記憶手段と、
当該記録装置以外の記録装置によって指示された録画予約に関する番組情報を上記管理装置から受信する受信手段と、
この受信手段によって受信された上記録画予約に関する番組情報を上記記憶手段に記憶させる制御手段と、
を有することを特徴とする記録装置。
【請求項８】
複数の記録装置と接続可能な管理装置と接続し、受信した番組に関する情報を記録する記録装置において、
当該記録装置及び上記管理装置と接続可能な記録装置において共通に保持される録画予約に関する番組情報を記憶する記憶手段と、
この記憶手段に記憶された共通の録画予約に関する番組情報に対して当該記録装置以外の記録装置によって指示された変更情報を上記管理装置から受信する受信手段と、
この受信手段によって受信された上記変更情報に基づいて上記記憶手段に記憶された上記録画予約に関する番組情報の内容を変更する制御手段と、
を有することを特徴とする記録装置。
【請求項９】
複数の記録装置と接続可能な管理装置と接続し、受信した番組に関する情報を記録する記録装置において、
当該記録装置及び上記管理装置と接続可能な記録装置において共通に保持される録画予約に関する番組情報を記憶する記憶手段と、
この記憶手段に記憶された共通の録画予約に関する番組情報に対して当該記録装置以外の記録装置によって指示された削除指示を上記管理装置から受信する受信手段と、
この受信手段によって受信された上記削除指示に基づいて上記記憶手段に記憶された上記録画予約に関する番組情報を上記記憶手段から削除する制御手段と、
を有することを特徴とする記録装置。
【請求項１０】
上記受信手段によって上記削除指示が受信されると、上記削除に関する問い合わせを通知する通知手段を有することを特徴とする請求項９記載の記録装置。
【請求項１１】
複数の記録装置と接続可能な管理装置と接続し、受信した番組に関する情報を記録する記録装置において、
当該記録装置及び上記管理装置接続可能な記録装置において共通に保持される録画予約に関する番組情報を記憶する記憶手段と、
録画を指示する指示部が指示されたことを検知する検知手段と、
この検知手段によって上記指示部の指示が検知されると、指示された放送局における番組の録画を開始すると共に、上記管理装置に対して上記指示部が指示されたことを通知する情報と録画対象となる放送局に関する情報とを送信するよう制御手段と、
を有することを特徴とする記録装置。
【請求項１２】
複数の記録装置と接続可能な管理装置と接続し、受信した番組に関する情報を記録する記録装置において、
当該記録装置以外の記録装置によって録画が指示された放送局に関する情報と録画を指示する情報とを上記管理装置から受信する受信手段と、
この受信手段によって受信された放送局に関する情報に基づいて録画を開始する制御手段と、
を有することを特徴とする記録装置。
【発明の詳細な説明】
【技術分野】
【０００１】
本発明は、放送される番組等の情報を記録する記録装置に関し、更にはこの記録装置を管理する管理装置に関する。
【背景技術】
【０００２】
従来より録画再生装置には番組録画予約機能が設けられており、設定された時間になると設定されたチャンネル（放送局）の番組が自動的に録画されるようになっていた。近年、複数のユーザ端末と情報記録サーバがネットワークによって接続されており、ユーザ端末から情報記録サーバに対して録画の予約を設定し、情報記録サーバでは録画予約に基づいて録画を実行し、ユーザが必要な時に所望する端末を用いてこのサーバから情報を呼び出して視聴するシステムが考えられている（例えば特許文献１参照。）。
【特許文献１】特開２０００−２８７１９３号公報
【発明の開示】
【発明が解決しようとする課題】
【０００３】
しかしながら、従来の装置は、ネットワーク上の情報記録サーバで番組の記録／保存を行っており、ユーザが視聴したい記録情報をその度にダウンロードしなければならず、接続されている複数の端末全てから視聴要求された場合や、ダウンロードするためネットワークの性能も関連し、ユーザの希望に応じたタイミングでスムーズに視聴することができない可能性があった。また、記録した番組等の情報をネットワーク接続しているユーザ端末に対してダウンロードするため、著作権に関する問題が生じる可能性もあった。
【０００４】
本発明は、以上の点に鑑みなされたもので、放送される番組等の情報の記録に伴って録画予約に関する情報を共有することが可能な管理装置及び記録装置を提供することを目的とする。
【課題を解決するための手段】
【０００５】
上記目的を達成するために、本発明の管理装置は、第１の記録装置と第２の記録装置とに接続可能な管理装置において、上記第１及び第２の記録装置において共通に保持される録画予約に関する番組情報を記憶する記憶手段と、上記第１の記録装置から録画予約に関する番組情報を受信する受信手段と、この受信手段によって受信された上記録画予約に関する番組情報を上記記憶手段に記憶させる制御手段と、上記第２の記録装置に対して上記受信された録画予約に関する番組情報を登録する旨の指示情報を送信する送信手段と、を有することを特徴とする。
【０００６】
上記目的を達成するために、本発明の管理装置は、第１の記録装置と第２の記録装置とに接続可能な管理装置において、上記第１及び第２の複数の記録装置において共通に保持される録画予約に関する番組情報を記憶する記憶手段と、上記第１の記録装置から既に記憶されている録画予約に関する番組情報の変更情報を受信する受信手段と、この受信手段によって受信された上記変更情報に基づいて上記記憶手段に記憶された上記録画予約に関する番組情報の内容を変更する制御手段と、上記第２の記録装置に対して上記受信された録画予約に関する番組情報の変更情報を送信する送信手段と、を有することを特徴とする。
【０００７】
上記目的を達成するために、本発明の管理装置は、第１の記録装置と第２の記録装置とに接続可能な管理装置において、上記第１及び第２の記録装置において共通に保持される録画予約に関する番組情報を記憶する記憶手段と、上記第１の記録装置から録画予約に関する番組情報の削除指示を受信する受信手段と、この受信手段によって受信された上記削除指示に基づいて上記記憶手段に記憶された上記録画予約に関する番組情報を上記記憶手段から削除する制御手段と、上記第２の記録装置に対して上記受信された録画予約に関する番組情報の削除指示を送信する送信手段と、を有することを特徴とする。
【０００８】
上記目的を達成するために、本発明の管理装置は、第１の記録装置と第２の記録装置とに接続可能な管理装置において、上記第１及び第２の記録装置において共通に保持される録画予約に関する番組情報を記憶する記憶手段と、上記第１の記録装置から録画予約に関する番組情報の変更情報あるいは削除指示を受信する受信手段と、この受信手段によって変更情報が受信された場合に、上記受信された変更情報に基づいて上記記憶手段に記憶された上記録画予約に関する番組情報を変更し、上記第２の記録装置に対して上記受信された録画予約に関する番組情報の変更情報を送信するよう制御し、上記受信手段によって削除指示が受信された場合に、上記記憶手段から上記削除指示された録画予約に関する番組情報を削除するよう制御する制御手段と、を有することを特徴とする。
【０００９】
上記目的を達成するために、本発明の管理装置は、第１の記録装置と第２の記録装置とに接続可能な管理装置において、上記第１の記録装置から録画を指示する指示部が指示されたことを通知する情報と録画対象となる放送局に関する情報を受信する受信手段と、この受信手段によって上記指示部が指示されたことを通知する情報と放送局に関する情報が受信されると、上記第２の記録装置に対して上記放送局に関する情報と録画を指示する情報とを送信する送信手段と、を有することを特徴とする。
【００１０】
上記目的を達成するために、本発明の記録装置は、複数の記録装置と接続可能な管理装置と接続し、受信した番組に関する情報を記録する記録装置において、当該記録装置及び上記管理装置と接続可能な記録装置において共通に保持される録画予約に関する番組情報を記憶する記憶手段と、当該記録装置以外の記録装置によって指示された録画予約に関する番組情報を上記管理装置から受信する受信手段と、この受信手段によって受信された上記録画予約に関する番組情報を上記記憶手段に記憶させる制御手段と、を有することを特徴とする。
【００１１】
上記目的を達成するために、本発明の記録装置は、複数の記録装置と接続可能な管理装置と接続し、受信した番組に関する情報を記録する記録装置において、当該記録装置及び上記管理装置と接続可能な記録装置において共通に保持される録画予約に関する番組情報を記憶する記憶手段と、この記憶手段に記憶された共通の録画予約に関する番組情報に対して当該記録装置以外の記録装置によって指示された変更情報を上記管理装置から受信する受信手段と、この受信手段によって受信された上記変更情報に基づいて上記記憶手段に記憶された上記録画予約に関する番組情報の内容を変更する制御手段と、を有することを特徴とする。
【００１２】
上記目的を達成するために、本発明の記録装置は、複数の記録装置と接続可能な管理装置と接続し、受信した番組に関する情報を記録する記録装置において、当該記録装置及び上記管理装置と接続可能な記録装置において共通に保持される録画予約に関する番組情報を記憶する記憶手段と、この記憶手段に記憶された共通の録画予約に関する番組情報に対して当該記録装置以外の記録装置によって指示された削除指示を上記管理装置から受信する受信手段と、この受信手段によって受信された上記削除指示に基づいて上記記憶手段に記憶された上記録画予約に関する番組情報を上記記憶手段から削除する制御手段と、を有することを特徴とする。
【００１３】
上記目的を達成するために、本発明の記録装置は、複数の記録装置と接続可能な管理装置と接続し、受信した番組に関する情報を記録する記録装置において、当該記録装置及び上記管理装置接続可能な記録装置において共通に保持される録画予約に関する番組情報を記憶する記憶手段と、録画を指示する指示部が指示されたことを検知する検知手段と、この検知手段によって上記指示部の指示が検知されると、指示された放送局における番組の録画を開始すると共に、上記管理装置に対して上記指示部が指示されたことを通知する情報と録画対象となる放送局に関する情報とを送信するよう制御手段と、を有することを特徴とする。
【００１４】
上記目的を達成するために、本発明の記録装置は、複数の記録装置と接続可能な管理装置と接続し、受信した番組に関する情報を記録する記録装置において、当該記録装置以外の記録装置によって録画が指示された放送局に関する情報と録画を指示する情報とを上記管理装置から受信する受信手段と、この受信手段によって受信された放送局に関する情報に基づいて録画を開始する制御手段と、を有することを特徴とする。
【発明の効果】
【００１５】
本発明によれば、放送される番組等の情報の記録に伴って録画予約に関する情報を共有することができる。
【発明を実施するための最良の形態】
【００１６】
以下、本発明に係る実施の形態について図面を参照して詳細に説明する。図１は、本発明の管理装置及び記録装置を用いたシステム構成を示す図である。
【００１７】
図１に示すシステムは、記録装置としての例えばＨＤＤ／ＤＶＤレコーダ等の記録再生装置３、４、５と、これら記録再生装置３、４、５とネットワーク接続された管理装置としての共有サーバ２と、この共有サーバ２と同じくネットワーク接続された番組情報データベースサーバ１とで構成される。また、記録再生装置３は、更にメールサーバ６を介して記録再生装置３のユーザが所有する携帯電話機７と各種情報を送受信することができる。記録再生装置５は、モニター８に無線で接続されている。
【００１８】
番組情報データベースサーバ１は、番組に関する情報（即ち番組情報）を提供するサーバで、例えば録画予約に必要な番組情報（番組名、開始時刻、終了時刻、放送局名等の情報）を保持し、共有サーバ２をはじめとする外部からの要求に応じて番組情報を提供する。
【００１９】
そして、記録再生装置３、４、５は、ユーザによって事前に行われる初期設定等により共有サーバ２に登録されている。そして、各記録再生装置３、４、５と共有サーバ２との間で、後述するように、共有化される番組の録画予約に関する情報（以下、録画情報）を送受信することにより、共有サーバ２及び複数の記録再生装置３〜５で録画情報を共有化することができる。本実施例では、この共有される録画情報は、番組情報（例えば放送日時、放送局、番組名など）から構成されている。
【００２０】
図２は、記録再生装置３、４、５の構成を示すブロック図である。図２に示すように、記録再生装置３、４、５は、録画情報データベース１１、録画予約入力部１２、録画制御部１３、送信部１４、受信部１５、番組録画部１６、番組データ保存メディア１７、アンテナ１８等から構成されている。
【００２１】
録画情報データベース１１は、録画予約入力部１２やメールサーバ６を介して入力される番組の録画情報や、共有サーバ２から送信された録画情報を保存する。本実施例では、録画情報データベース１１は、例えば図３に示すように、録画情報として、放送日、放送時間、放送局、番組名の他に、他の記録再生装置と共有する録画情報であるか／本記録再生装置のみで使用する録画情報であるかを示すフラグ情報（共有する場合は「１」、本記録再生装置のみ使用の場合は「０」）、及び優先度情報（例えば「高」「中」「低」）を記憶する。尚、優先度情報は、時間帯が重なる複数の録画情報が発生した場合に参照される情報で、記録再生装置３〜５においては優先度の高いものを優先的に記録することとなる。
【００２２】
録画予約入力部１２は録画予約に関する各種情報をユーザが入力するためのものである。録画制御部１３は、記録再生装置３、４、５の全体の制御を司るものである。送信部１４は、録画制御部１３による制御のもと、共有サーバ２へ各種情報を送信する。受信部１５は、録画制御部１３による制御のもと、共有サーバ２から送信される各種情報を受信する。
【００２３】
番組録画部１６は、録画制御部１３の制御のもと、録画情報データベース１１に記憶された録画情報に基づいて、アンテナ１８を介して受信された番組の映像／音声データ等を、ＨＤＤやＤＶＤで構成された番組データ保存メディア１７に記録保存する。
【００２４】
このような構成により、記録再生装置３〜５は、ユーザによって記録再生装置３〜５に対する直接かつ個別の録画予約処理を受け付けるだけでなく、定期的あるいは共有する録画情報の新規登録／変更／削除がなされたタイミングで、共有サーバ２から共有する録画情報をダウンロードするようになっている。
【００２５】
図４は、共有サーバ２の構成を示す図である。図４に示す共有サーバ２は、接続されている録画再生装置３、４、５で共有する録画情報を保存する共有録画情報データベース２１と、共有サーバ２全体の制御を司る制御部２２と、記録再生装置３、４、５と各種情報を送受信する送信部／受信部２３、２４と、番組情報データベースサーバ１と各種情報を送受信する送信部／受信部２５、２６とからなる。
【００２６】
共有録画情報データベース２１は、後述するように各記録再生装置３〜５によって登録された共有化する録画情報が記憶されるメモリである。この共有録画情報データベース２１は、例えば図５に示すように、録画情報として、放送日、放送時間、放送局、番組名、登録者情報（例えば記録再生装置の識別情報を示す）、優先度情報（例えば「高」「中」「低」）及び録画予約された記録再生装置（接続された全ての記録再生装置を示す場合は「ＡＬＬ」、個々の記録再生装置を示す場合はその識別情報）を記憶する。
【００２７】
尚、本実施例では、記録再生装置３の識別情報を「３」とし、記録再生装置４の識別情報を「４」とし、記録再生装置５の識別情報を「５」とする。したがって、図５に示す録画情報において、登録者情報の「３」は後述するように記録再生装置３によって登録された録画情報であることを示す。
【００２８】
そして、図５に示す共有録画情報データベース２１への登録内容は、記録再生装置３〜５を介して接続することによって、たとえば、記録再生装置４の表示部４ａや、記録再生装置５と接続されたモニター８や、記録再生装置３のユーザが所有する携帯電話機７の表示部７ａを用いて、ウェブ等で閲覧できるようになっている。
【００２９】
図６は、記録再生装置３、４における録画情報データベース１１の録画情報を最新に更新する処理の流れを示すフローチャート図である。本実施例においては、記録再生装置３、４は、ユーザによって記録再生装置３、４に対する直接の録画予約処理を受け付けるだけでなく、定期的に共有サーバ２から録画情報を更新するよう設定されている。
【００３０】
まず、記録再生装置３、４の録画制御部１３は、予め設定された時間を検知すると（ステップＳＴ１０１）、送信部１４を介して共有サーバ２へ録画情報の更新があるかを問い合わせる（ステップＳＴ１０２）。
【００３１】
そして、録画制御部１３は、受信部１５を介して共有サーバ２からの録画情報の更新情報を受信すると、この共有サーバ２からの受信情報に基づいて、録画情報データベース１１に保存されている録画情報の内容を更新する（ステップＳＴ１０３）。
【００３２】
そして、記録再生装置３、４は、待機状態へと移行し、次に予め設定された時間を検知すると、ＳＴ１０１から開始し、録画情報を定期的に更新するようになっている。このような構成により、ユーザは自分が録画し忘れた、もしくは注目していなかった番組においても録画することが可能となる。
【００３３】
図７は、本実施例の記録再生装置５における初期設定及び録画情報データベース１１の録画情報を最新に更新する処理の流れを示すフローチャート図である。本実施例では、この記録再生装置５は、他の記録再生装置３、４とは異なり、ユーザによる初期設定によって、例えば録画予約処理に不慣れなユーザに適したモードへと設定される。
【００３４】
即ち、記録再生装置５に対して直接かつ個別の録画予約処理を行うことなく、常に共有サーバ２からの録画情報に基づいて記録処理を行うモードに設定されることとする。また、記録再生装置５は、後述するように、図示せぬ録画ボタンが指示され録画を開始するリアルタイム録画には対応するものとする。尚、初期設定後の録画情報データベースの更新処理については図６に示す流れと同様のため同じステップ番号を付与して説明する。
【００３５】
まず、記録再生装置５の録画制御部１３は、図示せぬ初期設定画面において、ユーザによって録画予約入力部１２から入力される情報に基づいて、外部からの録画情報に基づき自動で録画予約するモードへと設定する（ステップＳＴ１１１）。
【００３６】
そして、録画制御部１３は、送信部１４を介して共有サーバ２へ録画情報の更新があるかを問い合わせ（ステップＳＴ１０２）、受信部１５を介して共有サーバ２からの録画情報の更新情報を受信すると、この共有サーバ２からの受信情報に基づいて、録画情報データベース１１に保存されている録画情報の内容を更新する（ステップＳＴ１０３）。そして、録画制御部１３は、次に予め設定された時間を検知すると（ステップＳＴ１１２）、ＳＴ１０２へと進み、録画情報を定期的に更新するようになっている。
【００３７】
次に、図８乃至図１０を用いて、記録再生装置３〜５及び共有サーバ２のブロック図をベースにして、記録再生装置３〜５の録画情報データベース１１及び共有サーバ２の共有録画情報データベース２１に保存されている録画情報の登録／変更／削除に関する処理の概略を説明する。
【００３８】
記録再生装置３において、図８に示すように、そのユーザによって録画予約入力部１２から、あるいはメールサーバ６を介して外出先の携帯電話機３から録画情報と登録／変更／削除の指示が入力されると（１）、録画制御部１３は入力された録画情報を録画情報データベース１１に登録や変更（場合によっては一時記憶）／削除を行うと共に（２）、送信部１４を介して共有サーバ２へと通知する（３）。
【００３９】
共有サーバ２において、図９に示すように、記録再生装置３から録画情報を受信すると、制御部２２は、受信した録画情報を共有録画情報データベース２１へ登録／変更／削除し（４）、他の記録再生装置４、５に対してこの録画情報とその指示を送信する（５）。
【００４０】
次に、記録再生装置４、５において、図１０に示すように、（図６及び図７における定期的な更新とは別に）共有サーバ２から録画情報が受信されると、記録制御部１３は受信した録画情報を録画情報データベース１１に登録／変更／削除し（６）、この登録／変更された録画情報に基づき、番組の録画を行う（７）。
【００４１】
次に、図１１乃至図１６のフローチャート図を用いて、記録再生装置３〜５の録画情報データベース１１及び共有サーバ２の共有録画情報データベース２１に保存されている録画情報の登録／変更／削除に関する処理を説明する。図１１は、図８に示す記録再生装置３における（１）〜（３）の処理の流れを具体的に示すフローチャート図である。
【００４２】
図１１に示すように、記録再生装置３の録画制御部１３は、そのユーザにより録画予約入力部１２から、あるいはメールサーバ６を介して外出先の携帯電話機３から録画情報とその指示（新規登録か変更か削除かの指示）を受信すると（ステップＳＴ１２０）、新規登録あるいは変更の指示の場合に（ステップＳＴ１２１のＮｏ）、受信した録画情報の放送日時と、録画情報データベース１１に登録されている録画情報の放送日時とを比較して、同日かつ同一時間帯であるかを判定する(ステップＳＴ１２２)。
【００４３】
受信した指示が削除の場合（ＳＴ１２１のＹｅｓ）及びＳＴ１２２の判定の結果で異なる日時であると判定された場合(ステップＳＴ１２２のＮｏ)、録画制御部１３は、受信した指示に基づき録画情報を録画情報データベース１１に登録／変更／削除すると共に（ステップＳＴ１２３）、受信した録画情報に基づいて共有すべき情報であるかを判定する（ステップＳＴ１２４）。
【００４４】
ＳＴ１２４の判定の結果、共有すべき情報ではないと判定されると（ステップＳＴ１２４のＮｏ）、録画制御部１３は待機状態へと移行する。ＳＴ１２４の判定の結果、共有すべき情報であると判定されると（ステップＳＴ１２４のＹｅｓ）、録画制御部１３は、送信部１４を介して共有サーバ２へ録画情報とその指示（新規登録か変更か削除かの指示）を送信する（ステップＳＴ１２５）。
【００４５】
ＳＴ１２２の判定の結果、同日の同一時間帯にかかると判定されると（ステップＳＴ１２２のＹｅｓ）、録画制御部１３は、図示せぬ表示部あるいはメールサーバ６を介してユーザの所有する携帯電話機７に優先度を問い合わせ、ユーザから優先度情報を取得する（ステップＳＴ１２６）。尚、本実施例では、同日の同一時間帯にかかる場合に優先度を問い合わせるようにしたが、予め録画情報に優先度情報が含まれているようにすれば、ＳＴ１２６による問合せは不要である。
【００４６】
録画制御部１３は、ＳＴ１２１で受信した録画情報の共有情報に基づいて共有すべき情報であるかを判定する（ステップＳＴ１２７）。ＳＴ１２７の判定の結果、共有すべき情報ではないと判定されると（ステップＳＴ１２７のＮｏ）、その優先度情報に基づき録画情報を録画情報データベース１１に登録あるいは変更する（ステップＳＴ１２８）。
【００４７】
ＳＴ１２７の判定の結果、共有すべき情報であると判定されると（ステップＳＴ１２７のＹｅｓ）、録画制御部１３は、受信した録画情報を録画情報データベース１１に一時記憶すると共に（ステップＳＴ１２９）、送信部１４を介して共有サーバ２へ録画情報とその優先度情報を送信し（ステップＳＴ１３０）、待機状態へと移行する。
【００４８】
尚、本実施例では、同一時間帯にかかる複数の共有する録画情報が存在する場合、後述するように、その優先度に従って録画する記録再生装置を割り振るためようにしているため、ＳＴ１２９において録画情報データベース１１に録画情報を登録／変更するのではなく、一時記憶することとした。
【００４９】
図１２、図１３及び図１５は、図９に示す共有サーバ２における（４）〜（５）の処理の流れを具体的に示すフローチャート図である。また、図１４及び図１６は、図１０に示す記録再生装置４、５における（６）〜（７）の処理の流れを具体的に示すフローチャート図である。そして、図１３及び図１４が内容に関わらず（録画情報の削除であるにもかかわらず）共有とする実施例を示す。図１５及び図１６がその変形例で、録画情報の削除である場合には他の記録再生装置には反映させない実施例を示す。
【００５０】
まず図１２に示すように、共有サーバの制御部２２は、記録再生装置３から録画情報とその指示（新規登録か変更か削除かの指示）を受信すると(ステップＳＴ２０１)、受信情報に基づいて、新規登録するものであるか、変更あるいは削除するものであるかを判定する（ステップＳＴ２０２）。
【００５１】
ＳＴ２０２の判定の結果、新規登録する録画情報であると判定されると（ステップＳＴ２０２のＹｅｓ）、制御部２２は、続いて受信した録画情報の放送日時と、共有録画情報データベース２１に登録されている録画情報の放送日時とを比較して、同日かつ同一時間帯であるかを判定する(ステップＳＴ２０３)。
【００５２】
ＳＴ２０３の判定の結果、異なる日時であると判定されると(ステップＳＴ２０３のＮｏ)、制御部２２は、受信した録画情報を共有録画情報データベース２１に登録すると共に（ステップＳＴ２０４）、送信部２４を介して他の記録再生装置４、５に対して登録した録画情報と新規登録の指示を送信する（ステップＳＴ２０５）。
【００５３】
ＳＴ２０３の判定の結果、同日の同一時間帯にかかると判定されると（ステップＳＴ２０３のＹｅｓ）、制御部２２は、同日の同一時間帯にかかる複数の録画情報を有することとなるため、その優先度情報に基づき、新規登録される録画情報を録画する記録再生装置の割り振りを行う。
【００５４】
例えば、本実施例では、新規登録される録画情報の優先度が「中」で、既登録済みの録画情報の優先度が「高」であった場合、制御部２２は、例えば新規登録する録画情報はそれを送信してきた記録再生装置３に録画することとし、他の記録再生装置４、５において共有録画情報データベース２１に既に登録されている同一時間帯の録画情報を録画するよう割り振る。
【００５５】
この通り、記録再生装置の割り振りが決定すると、制御部２２は、共有録画情報データベース２１に新規登録の録画情報を登録する。この際、この録画情報の「登録者情報」として「３」が、「優先度情報」として「中」が、「記録再生装置」として「３」が登録される。また、既登録済みの同一時間帯の録画情報においては「記録再生装置」を「４、５」と変更する。
【００５６】
逆に、新規登録される録画情報の優先度「高」で、既登録済みの録画情報の優先度が「中」であった場合、制御部２２は、１台(例えば記録再生装置５)は既登録済みの録画情報を録画することとし、新規登録する録画情報を送信してきた記録再生装置３と残りの記録再生装置４においては新規登録の録画情報を録画するよう割り振る。
【００５７】
この通り、記録再生装置の割り振りが決定すると、制御部２２は、共有録画情報データベース２１に新規登録の録画情報を登録する。この際、この録画情報の「登録者情報」として「３」が、「優先度情報」として「高」が、「記録再生装置」として「３、４」が登録される。また、既登録済みの同一時間帯の録画情報においては「記録再生装置」を「５」と変更する（ステップＳＴ２０６）。
【００５８】
ＳＴ２０６にて優先度に基づく記録再生装置の割り振りが決定されると、制御部２２は、割り振られた記録再生装置へ、その記録再生装置が録画する録画情報と登録の指示を送信部２４を介して送信する（ステップＳＴ２０７）。
【００５９】
尚、もしもＳＴ２０６における割り振りにより、新規登録の録画情報を送信した記録再生装置３において、この録画情報を記録するよう割り振られなかった場合には、ＳＴ２０７において、記録再生装置３に対して、この新規登録の録画情報が他のどの記録再生装置において録画されるよう指示されたかを示す情報を送信する。
【００６０】
次に、ＳＴ２０２の判定の結果、変更あるいは削除する録画情報であると判定されると（ステップＳＴ２０２のＮｏ）、制御部２２は、図１３（あるいは図１５）へと進む。まずは、図１３に示す例について説明する。
【００６１】
図１３に示すように、制御部２２は、変更の指示の場合に（ステップＳＴ２１０のＹｅｓ）、受信した録画情報に含まれた日時に基づいて、共有録画情報データベース２１に登録されている録画情報の放送日時と同日かつ同一時間帯への変更であるかを判定する(ステップＳＴ２１１)。
【００６２】
受信した指示が削除の場合（ＳＴ２１０のＮｏ）及びＳＴ２１１の判定の結果で同日かつ同一時間帯への変更はないと判定されると(ステップＳＴ２１１のＮｏ)、制御部２２は、受信した録画情報とその指示に基づいて共有録画情報データベース２１を変更（あるいは対象となる録画情報を削除）すると共に（ステップＳＴ２１２）、送信部２４を介して他の記録再生装置４、５に対して変更あるいは削除した録画情報を同様に変更あるいは削除するよう送信する（ステップＳＴ２１３）。
【００６３】
ＳＴ２１１の判定の結果、同日の同一時間帯にかかる変更であると判定されると（ステップＳＴ２１１のＹｅｓ）、制御部２２は、同日の同一時間帯にかかる複数の録画情報を有することとなるため、その優先度情報に基づき、変更される録画情報を録画する記録再生装置の割り振りを行う。尚、この割り振り方は、ＳＴ２０６で説明した割り振り方と同様のため、説明を省略する。この通り、記録再生装置の割り振りが決定すると、制御部２２は、共有録画情報データベース２１に録画情報の変更内容を登録する（ステップＳＴ２１４）。
【００６４】
ＳＴ２１４にて優先度に基づく記録再生装置の割り振りが決定されると、制御部２２は、割り振られた記録再生装置へ、その記録再生装置が録画する録画情報の変更を送信部２４を介して送信する（ステップＳＴ２１５）。
【００６５】
この際、いずれの記録再生装置においてどのような録画情報が設定されたかを示す情報を各記録再生装置３〜５に送信すると良い。少なくとも、もしもＳＴ２１４における割り振りにより、録画情報の変更を送信した記録再生装置３において、この録画情報を記録するよう割り振られなかった場合には、ＳＴ２１５において、記録再生装置３に対して、この変更された録画情報が他のどの記録再生装置において録画されるよう指示されたかを示す情報を送信する。
【００６６】
次に、図１４に示すように、記録再生装置３〜５の録画制御部１３は、受信部１５を介して共有サーバ２から録画情報と、この録画情報を新規登録／変更／削除するのかを示す指示情報とともに受信すると（ステップＳＴ１３１）、この受信した指示情報に基づいて削除指示であるかを判定する（ステップＳＴ１３２）。
【００６７】
ＳＴ１３２の判定の結果、削除ではない（即ち新規登録あるいは変更である）と判定されると（ステップＳＴ１３２のＮｏ）、録画制御部１３は、録画情報データベース１１への受信した録画情報の新規登録あるいは変更を実施する（ステップＳＴ１３３）。
【００６８】
ＳＴ１３２の判定の結果、削除である（即ち新規登録あるいは変更ではない）と判定されると(ステップＳＴ１３２のＹｅｓ)、録画制御部１３は、図示せぬ表示部あるいはメールサーバ６を介してユーザの所有する携帯電話機に、対象となる録画情報を削除してよいかを問合せ、ユーザから回答情報を取得する（ステップＳＴ１３４）。
【００６９】
ＳＴ１３４でユーザからの回答が得られない場合（ステップＳＴ１３５のＮｏ）、あるいは回答を受信したが削除が許可されなかった場合（ステップＳＴ１３７のＮｏ）には、録画制御部１３は、削除することなく録画情報データベース１１に対象となる録画情報を残した状態で待機状態へと移行する。即ち、この場合、後に削除対象となった録画情報に基づいて、番組録画することとなる。
【００７０】
ＳＴ１３４でユーザから削除を許可する旨の回答を受信すると（ステップＳＴ１３５のＹｅｓ、ＳＴ１３７のＹｅｓ）、録画制御部１３は、録画情報データベース１１から受信した録画情報を削除して（ＳＴ１３８）、待機状態へと移行する。
【００７１】
次に、変形例として、図１５に示すように、制御部２２は、まず録画情報とともに受信した指示が変更であるのか削除であるのかを判定する（ステップＳＴ２２１）。ＳＴ２２１の判定の結果、削除であると判定されると（ステップＳＴ２２１の削除）、制御部２２は、受信した録画情報を共有録画情報データベース２１から削除処理し（ステップＳＴ２２２）、この削除内容を共有の記録再生装置へ送信することなく待機状態へと移行する（ステップＳＴ２２３）。
【００７２】
ＳＴ２２１の判定の結果、変更であると判定されると（ステップＳＴ２２１の変更）、図１３で説明したＳＴ２１１と同様に、受信した録画情報に含まれた日時に基づいて、共有録画情報データベース２１に登録されている録画情報の放送日時と同日かつ同一時間帯への変更であるかを判定する(ステップＳＴ２１１)。
【００７３】
ＳＴ２１１の判定の結果、同日かつ同一時間帯への変更はないと判定されると(ステップＳＴ２１１のＮｏ)、制御部２２は、受信した録画情報に基づいて共有録画情報データベース２１に変更内容を登録すると共に（ステップＳＴ２２４）、送信部２４を介して他の記録再生装置４、５に対して変更した録画情報と変更の指示を送信する（ステップＳＴ２２５）。
【００７４】
ＳＴ２１１の判定の結果、同日の同一時間帯にかかる変更であると判定されると（ステップＳＴ２１１のＹｅｓ）、図１３で示す処理におけるＳＴ２１４及びＳＴ２１５と同様に、制御部２２は、同日の同一時間帯にかかる複数の録画情報を有することとなるため、その優先度情報に基づき、変更される録画情報を録画する記録再生装置の割り振りを行う。尚、この割り振り方は、ＳＴ２０６で説明した割り振り方と同様のため、説明を省略する。この通り、記録再生装置の割り振りが決定すると、制御部２２は、共有録画情報データベース２１に録画情報の変更内容を登録する（ステップＳＴ２１４）。
【００７５】
ＳＴ２１４にて優先度に基づく記録再生装置の割り振りが決定されると、制御部２２は、割り振られた記録再生装置へ、その記録再生装置が録画する録画情報の変更を送信部２４を介して送信する（ステップＳＴ２１５）。
【００７６】
この際、いずれの記録再生装置においてどのような録画情報が設定されたかを示す情報を各記録再生装置３〜５に送信すると良い。少なくとも、もしもＳＴ２１４における割り振りにより、録画情報の変更を送信した記録再生装置３において、この録画情報を記録するよう割り振られなかった場合には、ＳＴ２１５において、記録再生装置３に対して、この変更された録画情報が他のどの記録再生装置において録画されるよう指示されたかを示す情報を送信する。
【００７７】
次に、図１６に示すように、記録再生装置３〜５の録画制御部１３は、受信部１５を介して共有サーバ２から録画情報と、この録画情報を新規登録あるいは変更する旨を示す指示情報とともに受信すると（ステップＳＴ１３１）、この受信した指示情報に基づいて、録画情報データベース１１への受信した録画情報の新規登録あるいは変更を実施して、待機状態へと移行する（ステップＳＴ１３３）。
【００７８】
このような構成により、共有サーバ２に接続されている複数の記録再生装置３〜５のいずれかから、共有サーバ２に対して、共有とする録画情報の新規登録／（放送時間等の）変更が行われると、共有サーバ２は他の記録再生装置に対しても新規登録あるいは変更された録画情報を通知する。そして、この通知を受信した他の記録再生装置は、受信した録画情報に基づいて新規登録あるいは変更を行う。
【００７９】
これにより、例えば共通のトピックスに関する番組を抜けなく録画することが可能となり、その放送時間などの変更についても見逃してしまうというミスの発生を低減することが可能となる。また、同じ趣味や嗜好をもつユーザが集まったグループなどにおいて、容易にグループのメンバーが同じ番組を録画することが可能となる。
【００８０】
また、共有する録画情報の削除については、図１３及び図１４に示す実施例においては、共有サーバ２から他の記録再生装置に対して共有の録画情報の削除であっても通知するものとし、その代わりに、通知された各記録再生装置において、個々のユーザに対して録画情報を削除するかを問い合わせ、記録再生装置毎に削除指示された録画情報を残すか削除するかを決定するようになっている。また、図１５及び図１６に示す変形例においては、共有サーバ２から他の記録再生装置に対して共有の録画情報の削除であった場合には通知しないようにしている。いずれの実施例においても、各記録再生装置のユーザの意図しない録画情報の削除を回避することが可能となる。
【００８１】
また、同一時間帯に複数の録画情報が重なった場合に、その優先度情報に基づいて、録画情報を共有するために複数接続された記録再生装置を割り振って、録画予約することによって、少なくともどの記録再生装置にも録画されなかったという、ユーザにとって不測の事態を回避することが可能となる。また、ユーザが複数の記録再生装置を所有していなくとも、（他のユーザが所有する）他の記録再生装置の録画（予約）状況に応じて、同時間帯の複数の番組を録画することが可能となる。
【００８２】
次に、図１７乃至図１９に示すフローチャート図を用いて、共有サーバ２に録画情報を共有するよう登録されている複数の記録再生装置３〜５のいずれかにおいて、ユーザによってリアルタイム録画が指示された場合の他の記録再生装置における連携録画に関する処理の流れを説明する。
【００８３】
例えば記録再生装置５において、図１７に示すように、ユーザによって録画予約入力部１２から図示せぬ録画ボタンが指示され、リアルタイム録画の指示が検知されると（ステップＳＴ１４１）、録画制御部１３は、送信部１４を介して共有サーバ２へ録画が指示された番組情報（現在時間と放送局あるいはチャンネル情報等）とリアルタイム録画が指示された旨を示す指示情報を送信する(ステップＳＴ１４２)。
【００８４】
次に、共有サーバ２は、図１８に示すように、受信部２３を介して記録再生装置５からリアルタイム録画の指示情報とその番組情報が入力されると(ステップＳＴ２３１)、制御部２２は、この番組情報に基づいて、送信部２６を介して番組情報データベースサーバからリアルタイム録画が指示されら時間及び放送局における番組情報を取得する(ステップＳＴ２３２)。
【００８５】
そして、制御部２２は、ＳＴ２３２で取得した番組情報に基づいて、記録再生装置５においてリアルタイム録画が指示された番組情報を推測し、送信部２４を介して他の記録再生装置３、４に対して、推測した番組情報と、リアルタイム録画を指示する情報を送信する（ステップＳＴ２３３）。
【００８６】
尚、本実施例では、ＳＴ２３２において番組情報データベースサーバから番組情報を取得し、リアルタイム録画で指示されたであろう番組情報を推測して他の記録再生装置に対してリアルタイム録画を指示するようにしているが、これに限らず、番組情報を特定することなく、他の記録再生装置に対して放送局の情報とリアルタイム録画の指示のみを送信することも可能である。
【００８７】
これを受けて、記録再生装置３、４においては、図１９に示すように、受信部１５を介して番組情報（但し少なくとも放送局を含む）とリアルタイム録画の指示情報を受信すると(ステップＳＴ１５１)、録画制御部１３は、録画中であるかを判定し（ステップＳＴ１５２）、録画中ならば受信した指示は無視して現在実行している録画を継続し（ステップＳＴ１５２のＹｅｓ）、録画中でなければ（ＳＴ１５２のＮｏ）、受信した番組情報に基づいて録画を開始する（ステップＳＴ１５３）。
【００８８】
このような構成により、本実施例では、事前の録画予約にとどまらず、リアルタイム録画の指示についても、録画情報を共有することが可能となる。
【図面の簡単な説明】
【００８９】
【図１】本発明の実施形態における記録装置としての記録再生装置３、４、５を用いたシステム構成を示す図。
【図２】記録再生装置３、４、５の構成を示すブロック図。
【図３】録画情報データベース１１に保存されている情報を説明するための図。
【図４】共有サーバ２の構成を示す図。
【図５】共有録画情報データベース２１に保存されている情報を説明するための図。
【図６】記録再生装置３、４における録画情報データベース１１の録画情報を最新に更新する処理の流れを示すフローチャート図。
【図７】記録再生装置５における初期設定及び録画情報データベース１１の録画情報を最新に更新する処理の流れを示すフローチャート図。
【図８】記録再生装置３〜５のブロック図を用いて録画情報の登録／変更／削除処理を概略的に説明する図。
【図９】共有サーバ２のブロック図を用いて録画情報の登録／変更／削除処理を概略敵意説明する図。
【図１０】記録再生装置３〜５のブロック図を用いて録画情報の登録／変更／削除処理を概略的に説明する図。
【図１１】図８に示す記録再生装置３における（１）〜（３）の処理の流れを具体的に示すフローチャート図。
【図１２】図９に示す共有サーバ２における（４）〜（５）の処理の流れを具体的に示すフローチャート図。
【図１３】図９に示す共有サーバ２における（４）〜（５）の処理の流れを具体的に示すフローチャート図。
【図１４】図１０に示す記録再生装置４、５における（６）〜（７）の処理の流れを具体的に示すフローチャート図。
【図１５】図９に示す共有サーバ２における（４）〜（５）の処理の流れを具体的に示すフローチャート図。
【図１６】図１０に示す記録再生装置４、５における（６）〜（７）の処理の流れを具体的に示すフローチャート図。
【図１７】録画情報を共有するよう登録されている複数の記録再生装置３〜５のいずれかにおいて、ユーザによってリアルタイム録画が指示された場合の連携録画に関する処理を示すフローチャート図。
【図１８】録画情報を共有するよう登録されている複数の記録再生装置３〜５のいずれかにおいて、ユーザによってリアルタイム録画が指示された場合の連携録画に関する処理を示すフローチャート図。
【図１９】録画情報を共有するよう登録されている複数の記録再生装置３〜５のいずれかにおいて、ユーザによってリアルタイム録画が指示された場合の連携録画に関する処理を示すフローチャート図。
【符号の説明】
【００９０】
１    番組情報データベースサーバ
２    共有サーバ
３、４、５    記録再生装置
６    メールサーバ
７    携帯電話機
１１    録画情報データベース
１２    録画予約入力部
１３    録画制御部
１７    番組データ保存メディア
２１    共有録画情報データベース
２２    制御部
【図１】
2005110047.tif 000003
【図２】
2005110047.tif 000004
【図３】
2005110047.tif 000005
【図４】
2005110047.tif 000006
【図５】
2005110047.tif 000007
【図６】
2005110047.tif 000008
【図７】
2005110047.tif 000009
【図８】
2005110047.tif 000010
【図９】
2005110047.tif 000011
【図１０】
2005110047.tif 000012
【図１１】
2005110047.tif 000013
【図１２】
2005110047.tif 000014
【図１３】
2005110047.tif 000015
【図１４】
2005110047.tif 000016
【図１５】
2005110047.tif 000017
【図１６】
2005110047.tif 000018
【図１７】
2005110047.tif 000019
【図１８】
2005110047.tif 000020
【図１９】
2005110047.tif 000021